(57)【特許請求の範囲】
【請求項１】
オーブントースター用のパン屑受け器であって、
オーブントースターの扉の下方前方であってテーブルの上に配置され、オーブントースターの扉の下部付近に溜まって扉を開いた際に飛散するパン屑を収容する屑受け部と、
オーブントースターの扉側下方であってテーブルの上に配置されると共に、上記屑受け部の一端側に着脱可能に結合され、テーブルの縁から垂れ下げられた際に上記屑受け部が自重により落下するのを防止する滑り止め部とを備え、
上記屑受け部は全体としてシート状であり、他端側に、上部が開口し断面Ｊ字の袋状の屑収容部を設けたことを特徴とするパン屑受け器。
【請求項２】
上記屑受け部は、オーブントースターの扉側の左右幅方向の両脚部間に配置される上記一端側の矩形状の前縁部と、当該前縁部からオーブントースターの扉に沿って左右幅方向及び上記他端側に向かって延在する張出し部と、当該張出し部に隣接して設けられた上記屑収容部から構成される、ことを特徴とする請求項１に記載のパン屑受け器。
【請求項３】
上記滑り止め部は、シート状の可変幅シート部であって、その幅はオーブントースターの扉に沿って左右幅方向のサイズに合わせて任意に調整可能であり、調整後はその幅に固定されるよう構成される、ことを特徴とする請求項１または２に記載のパン屑受け器。
【請求項４】
上記滑り止め部は、シートと、当該シートを両端から巻き取り可能な一対のロッドと、当該ロッドに結合された蛇腹機構と、当該蛇腹機構を上記屑受け部に着脱可能に結合する部材とを有する、ことを特徴とする請求項１乃至３のいずれか1項に記載のパン屑受け器。
【請求項５】
上記滑り止め部は、シートと、当該シートを両端から巻き取り可能な一対のロッドと、当該ロッドに結合された伸縮可能なリンク機構と、当該リンク機構を上記屑受け部に着脱可能に結合する部材とを有する、ことを特徴とする請求項１乃至３のいずれか１項に記載のパン屑受け器。
【請求項６】
上記滑り止め部は、オーブントースターの扉に沿って左右幅方向に移動可能な一対の爪部で構成され、当該一対の爪部はオーブントースターの扉側の左右幅方向の両脚部にそれぞれ係合可能である、ことを特徴とする請求項１または２に記載のパン屑受け器。
【請求項７】
上記屑受け部の張出し部の両端には、上記前縁部から上記屑収容部にかけて板状の壁部が立設される、ことを特徴とする請求項１乃至６のいずれか1項に記載のパン屑受け器。
【発明の詳細な説明】
【技術分野】
【０００１】
本発明は、オーブントースター用パン屑受け器に関する。
【背景技術】
【０００２】
従来、例えば特許文献１には、パン屑受け器を内部に備えたオーブントースターが提案されている。
【先行技術文献】
【特許文献】
【０００３】
【特許文献１】特開２０１８―１５５４４１号公報
【発明の概要】
【発明が解決しようとする課題】
【０００４】
特許文献１等に開示されたパン屑受け部を内蔵したオーブントースターにおいては、パン屑受け部を内蔵しているため、パン屑受け部の幅がオーブントースターの扉の幅より狭く、扉を開いた際に扉の下部付近に溜まっているパン屑の一部が扉の幅方向前後左右に飛散しパン屑受け部に収容されず周囲に飛び散るという事態を招いていた。
【０００５】
本発明は、上記の課題を解決するためになされたものである。
本発明の目的は、オーブントースターの扉の下部付近に溜まっているパン屑を扉を開いた際に確実に回収可能なパン屑受け器を提供することである。
【課題を解決するための手段】
【０００６】
上記目的を達成するため、本発明のオーブントースター用パン屑受け器は以下の構成を備える。
オーブントースター用のパン屑受け器であって、オーブントースターの扉の下方前方であってテーブルの上に配置され、オーブントースターの扉の下部付近に溜まって扉を開いた際に飛散するパン屑を収容する屑受け部と、オーブントースターの扉側下方であってテーブルの上に配置されると共に、上記屑受け部の一端側に着脱可能に結合され、テーブルの縁から垂れ下げられた際に上記屑受け部が自重により落下するのを防止する滑り止め部とを備え、上記屑受け部は全体としてシート状であり、他端側に、上部が開口し断面Ｊ字の袋状の屑収容部を設けたことを特徴とするパン屑受け器。
【発明の効果】
【０００７】
本発明によれば、オーブントースターの扉を開いた際に、扉の下部付近に溜まっているパン屑の一部が扉の幅方向前後左右に飛散しパン屑受け部に収容されず周囲に飛び散るという事態を防止する効果がある。
【図面の簡単な説明】
【０００８】
【図１】オーブントースター及び実施例１に係るパン屑受け器の概略構成を示す斜視図。
【図２】図１に示すオーブントースター及びパン屑受け器の側面図。
【図３】実施例１のパン屑受け器を示す斜視図。
【図４】実施例１のパン屑受け器の屑受け部の一部及び可変幅シート部の構成を示す平面図。
【図５】図４の矢印A１方向から見た可変幅シート部の側面図。
【図６】実施例１のパン屑受け器の屑受け部の一部及び可変幅シート部の構成を示す斜視図。
【図７】実施例１のパン屑受け器の変形例１を示す斜視図。
【図８】変形例２のパン屑受け器の屑受け部の一部及び可変幅シート部の構成を示す斜視図。
【図９】変形例３のパン屑受け器の屑受け部の一部及び可変幅シート部の構成を示す斜視図。
【図１０】変形例４のパン屑受け器の可変幅シート部の構成を示す斜視図。
【図１１】実施例２に係るパン屑受け器の概略構成を示す斜視図。
【発明を実施するための形態】
【０００９】
以下、本発明を実施するための形態について図面を用いて例示的に詳しく説明する。ただし、この実施の形態に記載されている構成要素はあくまで例示であり、この発明の範囲をそれらのみに限定する趣旨のものではない。
【実施例１】
【００１０】
図１はオーブントースター及び本発明の実施例１に係るパン屑受け器の概略構成を示す斜視図、図２は図１に示すオーブントースター及びパン屑受け器の側面図、図３は実施例１のパン屑受け器を示す斜視図である。図４は実施例１のパン屑受け器の屑受け部の一部及び可変幅シート部の構成を示す平面図、図５は図４の矢印A１方向から見た可変幅シート部の側面図、図６は実施例１のパン屑受け器の屑受け部の一部及び可変幅シート部の構成を示す斜視図である。
【００１１】
図１、図２に示すように、例えば、テーブル５上に載置されたオーブントースター１は、一般的に、本体２、４つの脚部３、透明な扉５等で構成される。実施例１に係るパン屑受け器１０は、屑受け部５０とそれに着脱可能な可変幅シート部２０とで構成される。
屑受け部５０は、扉５を開いた際に扉の下部付近に溜まっているパン屑の一部が扉の幅方向前後左右に飛散してしまうため、その飛散したパン屑を受けるためのものである。可変幅シート部２０は、屑受け部５０に着脱可能に取り付けられ、屑受け部５０がテーブル５の縁から垂れ下げられた際に屑受け部５０が自重により落下するのを安定に防止すべく滑り止め部として機能するもので、オーブントースター１の下方に左右幅方向（Ｘ矢印方向）の脚部３、３の間に配置される。従って、可変幅シート部２０は、オーブントースター１の左右幅方向の脚部３、３間のサイズに合わせて左右幅方向に伸縮可能に構成されている
【００１２】
図３に示すように、屑受け部５０は、例えば、塩ビ等の樹脂製の柔軟なシート状部材からなり、その一端側は矩形状の前縁部５１およびそこから左右幅方向及び他端側に延在する張出し部５２を構成し、他端側は上部が開口し断面Ｊ字の袋状の屑収容部５３を構成する。屑収容部５３は、オーブントースターの扉５の下部付近に溜まって、扉５を開いた際に飛び散り屑受け部５０を滑り落ちたパン屑を収容する機能を有する。
前縁部５１の先端にはＸ方向に開口部５４が設けられ、開口部５４の内部底面のＸ方向ほぼ中央の位置に凸部５５が立設されている。なお、前縁部５１は張出し部５２に対して着脱可能な構成としてもよい。
屑受け部５０の材質は、オーブントースターの扉下部付近の最高温度、例えば、５０〜６０度に対しても耐熱性があり変形せず、不燃性かつ耐水性があり水等により容易に清掃可能であることが好ましい。また、屑受け部５０に落下したパン屑は静電気により屑受け部５０上に付着し、屑受け部５０から零れ落ちるのが防止されるよういしてよい。
【００１３】
図３乃至６等に示すように、可変幅シート部２０は、シート２１と、シート２１を巻き取り可能な左右一対のロッド２３ａ、２３ｂと、ロッド２３ａ、２３ｂにそれぞれ連結部２６ａ、２６ｂを介して結合された左右一対の、例えば、断面矩形のレール２４ａ、２４ｂと、一対の、例えば、細長い直線平板状のであるアーム２７ａ、２７ｂを備える。２２ａ、２２ｂはそれぞれロッド２３ａ、２３ｂに巻かれたシートを示す。なお、図５においては、説明の便宜上、レール２４ａ、２４ｂの内部構造が分かり易いように実線で示している。
【００１４】
アーム２７ａ、２７ｂはそれぞれ長さが等しく、その長手方向の中心において回動軸２８により軸支されると共に、それを中心して回動可能とされる。従って、レール２４ａ、２４ｂと、アーム２７ａ、２７ｂと、回動軸２８等でいわゆる伸縮可能なリンク機構が構成される。
回動軸２８は連結ロッド２９の一端に結合され、連結ロッド２９の他端３１は屑受け部５０の前縁部５１に着脱可能に結合される。具体的には、例えば、連結ロッド２９の他端３１には孔が設けられ、前縁部５１の先端にＸ方向に設けられた開口部５４の内部底面に立設された凸部５５を孔に嵌めることで、連結ロッド２９の他端３１は屑受け部５０の前縁部５１に着脱可能に結合される。
レール２４ａ、２４ｂの上面には、それぞれレールの長手方向（Ｙ１方向）に沿って溝２５ａ、２５ｂが設けられる。アーム２７ａ、２７ｂの各々の両端には、例えば、カーテンレールのランナーと同様に機能するランナー３０ａ、３０ｂが固定され、ランナー３０ａ、３０ｂはそれぞれ溝２５ａ、２５ｂ内を摺動可能とされる。
【００１５】
このような構成の可変幅シート部２０によれば、シート２１が図３乃至６等に示すように延ばされた状態においては、ロッド２３ａ、２３ｂの一方又は両方を回転してシート２１を巻き取れば、それに伴いアーム２７ａ、２７ｂの各々の端部、即ち、ランナー３０ａ、３０ｂは図６のＹ１方向に溝内を移動する。それによりシート２１のＸ方向の幅は短くできる。他方、シート２１が巻き取られた状態においては、ロッド２３ａ、２３ｂの一方又は両方を回転してシート２１を延ばすと、ランナー３０ａ、３０ｂは図６のＹ２方向に溝内を移動する。それによりシート２１のＸ方向の幅は短くできる。
【００１６】
こうしてシートの長さは調整可能であり、アーム２７ａ、２７ｂ、レール２４ａ、２４ｂ等のシートを固定する構成により、任意のシート長で安定に固定される。従って、可変幅シート部２０は、オーブントースター１の左右幅方向の脚部３、３間のサイズに合わせて幅を任意に調整でき、調整後はその幅に固定される。また、可変幅シート部２０は、連結ロッド２９により屑受け部５０の前縁部５１に着脱可能に結合されるため、屑受け部５０がテーブル５の縁から垂れ下げられた際に屑受け部５０が自重により落下するのを安定に防止できる。
【００１７】
シート２１は塩ビ等の樹脂製又は布製の柔軟なシート状部材からなり、オーブントースターの下部付近の最高温度、例えば、５０〜６０度に対しても耐熱性があり変形せず、不燃性かつ耐水性があり水等により容易に清掃可能であることが好ましい。可変幅シート部２０のその他の構成要素も同様に耐熱性を有することが好ましい。
【００１８】
上記の様に構成された実施例１に係るパン屑受け器１０の使用に際しては、可変幅シート部２０の連結ロッド２９の他端３１を屑受け部５０の前縁部５１に屑受け部５０に取り付け、屑受け部５０をテーブル５の縁から垂れ下げる。その際には、図１、図２に示すように、屑受け部５０は、前縁部５１が、好ましくは、オーブントースターの扉下部より、矢印Ｘ方向に垂直な矢印Ｙ方向にシフトした位置で脚部３、３の間に位置するよう、それにより張出し部５２がオーブントースターの扉下部より矢印Ｙ方向にややシフトした位置に配置されるようにする。そうすることにより、オーブントースターの扉５の下部付近に溜まっているパン屑が扉５を開いた際に飛び散ったとしても確実に屑受け部５０に回収可能となる。特に、パン屑受け部の幅、即ち、張出し部５２の幅をオーブントースターの扉の幅より広くすることにより、より効果的にパン屑をパン屑受け部に収容できる。
なお、可変幅シート部２０を上下逆向きとし、連結ロッド２９の他端３１に設けられた孔を屑受け部５０の凸部５５に嵌合可能とし、屑受け部５０着脱可能とした構成としても良い。
【００１９】
以下に、図１乃至図６に示した実施例１のパン屑受け器１０の変形例を以下に説明する。
図７は実施例１の屑受け部５０の変形例１の屑受け部を示す。変形例１の屑受け部の張出し部５２の両端には、前縁部５１から屑収容部５３にかけて板状の壁部５６、５６が立設される。この壁部５６の材質は屑受け部５０の他の部分と同一としてよい。このように壁部５６、５６を設けることで、オーブントースターの扉５の下部付近に溜まっているパン屑が扉５を開いた際に飛び散ったとしても、より確実に屑受け部５０に回収可能となる。
【００２０】
図８は変形例２のパン屑受け器の屑受け部の一部及び可変幅シート部の構成を示す。本変形例においては、実施例１の屑受け部５０の前縁部５１を張出し部５２と同様にシート状とし、その上面のX方向ほぼ中央の位置に凸部５５が立設されている。このような構成とすることで、前縁部５１を張出し部５２と一体として成形可能となる。本変形例においても、実施例１と同様に、連結ロッド２９の他端３１に設けられ孔を、前縁部５１に立設された凸部５５と嵌合することで、連結ロッド２９の他端３１を屑受け部５０の前縁部５１に着脱可能に結合される。
【００２１】
図９は変形例３のパン屑受け器の屑受け部の一部及び可変幅シート部の構成を示す。本変形例においては、屑受け部５０の構成は変形例２と同様とするが、実施例１と同様としてもよい。本変形例の可変幅シート部２０においては、実施例１のレール２４ａ、２４ｂに替えてロッド３４ａ、３４ｂ、アーム２７ａ、２７ｂに替えて折りたたみ式の伸縮自在の蛇腹状部材３３を用いるものとする。蛇腹状部材３３の両端はそれぞれロッド３４ａ、３４ｂに固定され、その中央部は連結ロッド２９の一端に結合されている。ロッド３４ａ、３４ｂ、蛇腹状部材３３は可変幅シート部２０のその他の構成要素も同様に耐熱性を有することが好ましい。
このような構成の可変幅シート部２０は、蛇腹状部材３３を伸縮することで実施例１の可変幅シート部２０と同様の作用効果を達成できる。
【００２２】
図１０は変形例４のパン屑受け器の可変幅シート部の構成を示す。本変形例の可変幅シート部２０は、シート２１と、シート２１を巻き取り可能な左右一対のロッド２３ａ、２３ｂと、シート２１のＸ方向ほぼ中央にＹ方向に延びてシート２１に固定されたロッド３２と、ロッド３２の先端３１に設けた孔とで構成される。本変形例の可変幅シート部２０においては、図の状態で左右一対のロッド２３ａ、２３ｂをロッド３２に向けて巻き取り、またそこから逆方向に巻き戻すことで実施例１の可変幅シート部２０と同様の作用効果を達成できる。
【００２３】
図１１は実施例２に係るパン屑受け器１０の概略構成を示す。本実施例においては、実施例１の可変幅シート部を設けず、実施例１の屑受け部５０の前縁部５１にＸ方向に沿った開口５４を設け、開口内には開口に沿ってＸ方向に移動可能な、例えば、Ｌ字状の一対の可動部（爪部）５７ａ、５７ｂが設けられる。一対の可動部５７ａ、５７ｂの開口内端部には、例えば、カーテンレールのランナーと同様に機能するランナー５８ａ、５８ｂが固定され、開口がレールとして機能するよう構成される。なお、可動部５７ａ、５７ｂの開口側と反対側の端部５９ａ、５９ｂは互いに向き合うように内側に曲げられているが、互いに逆方向に背を向けるように曲げられてもよい。また、前縁部５は張出し部５２に対して着脱可能な構成としてもよい。
この様に構成された実施例２に係るパン屑受け器１０の使用に際しては、屑受け部５０の前縁部５１の可動部５７ａ、５７ｂのＸ方向に沿った位置を調整してオーブントースターの扉下部の脚部３、３に固定する。こうすることで屑受け部５０はオーブントースターに固定され、屑受け部５０がテーブル５の縁から垂れ下げられた際に屑受け部５０が自重により落下するのを安定に防止でき、前縁部５１は滑り止め部として機能する。
【００２４】
以上のように、本発明のオーブントースター用のパン屑受け器の特徴は以下のように列挙できる。、
｛１｝オーブントースター用のパン屑受け器であって、
オーブントースターの扉の下方前方であってテーブルの上に配置され、オーブントースターの扉の下部付近に溜まって扉を開いた際に飛散するパン屑を収容する屑受け部（５０）と、
オーブントースターの扉側下方であってテーブルの上に配置されると共に、上記屑受け部の一端側に着脱可能に結合され、テーブルの縁から垂れ下げられた際に上記屑受け部が自重により落下するのを防止する滑り止め部（２０）とを備え、
上記屑受け部は全体としてシート状であり、他端側に、上部が開口し断面Ｊ字の袋状の屑収容部（５３）を設けたことを特徴とするパン屑受け器。
｛２｝上記屑受け部は、オーブントースターの扉側の左右幅方向の両脚部間に配置される上記一端側の矩形状の前縁部（５１）と、当該前縁部からオーブントースターの扉に沿って左右幅方向及び上記他端側に向かって延在する張出し部（５２）と、当該張出し部に隣接して設けられた上記屑収容部（５３）から構成される、ことを特徴とする｛１｝に記載のパン屑受け器。
｛３｝上記滑り止め部は、シート状の可変幅シート部であって、その幅はオーブントースターの扉に沿って左右幅方向のサイズに合わせて任意に調整可能であり、調整後はその幅に固定されるよう構成される、ことを特徴とする｛１｝または｛２｝に記載のパン屑受け器。
｛４｝上記滑り止め部は、シート（２１）と、当該シートを両端から巻き取り可能な一対のロッド（２３）と、当該ロッドに結合された蛇腹機構（３３）と、当該蛇腹機構を上記屑受け部に着脱可能に結合する部材（２９、３１）とを有する、ことを特徴とする｛１｝乃至｛３｝のいずれかに記載のパン屑受け器。
｛５｝上記滑り止め部は、シート（２１）と、当該シートを両端から巻き取り可能な一対のロッド（２３）と、当該ロッドに結合された伸縮可能なリンク機構（２４、２７、２８）と、当該リンク機構を上記屑受け部に着脱可能に結合する部材（２９、３１）とを有する、ことを特徴とする｛１｝乃至｛３｝のいずれか記載のパン屑受け器。
｛６｝上記滑り止め部は、オーブントースターの扉に沿って左右幅方向に移動可能な一対の爪部（５７）で構成され、当該一対の爪部はオーブントースターの扉側の左右幅方向の両脚部にそれぞれ係合可能である、｛１｝または｛２｝のいずれかに記載のパン屑受け器。
｛７｝上記屑受け部の張出し部（５２）の両端には、上記前縁部（５１）から上記屑収容部（５３）にかけて板状の壁部（５６）が立設される、ことを特徴とする｛１｝乃至｛６｝のいずれか記載のパン屑受け器。
【００２５】
このように、本発明によるパン屑受け器によれば、パン屑受け部の幅をオーブントースターの扉の幅より広くでき、扉を開いた際に扉の下部付近に溜まっているパン屑の一部が扉の幅方向前後左右に飛散しパン屑受け部に収容されず周囲に飛び散るという事態を防止できる効果がある。
【符号の説明】
【００２６】
１０  パン屑受け器
２０  可変幅シート部
５０  屑受け部
【要約】
【課題】オーブントースターの扉の下部付近に溜まっているパン屑を扉を開いた際に確実に回収可能なパン屑受け器を提供する。
【解決手段】オーブントースター用のパン屑受け器であって、オーブントースターの扉の下方前方であってテーブルの上に配置され、オーブントースターの扉の下部付近に溜まって扉を開いた際に飛散するパン屑を収容する屑受け部と、オーブントースターの扉側下方であってテーブルの上に配置されると共に、上記屑受け部の一端側に着脱可能に結合され、テーブルの縁から垂れ下げられた際に上記屑受け部が自重により落下するのを防止する滑り止め部とを備え、上記屑受け部は全体としてシート状であり、他端側に、上部が開口し断面Ｊ字の袋状の屑収容部を設けた。
【選択図】  図１【図１】
0006850848.tif 000002
【図２】
0006850848.tif 000003
【図３】
0006850848.tif 000004
【図４】
0006850848.tif 000005
【図５】
0006850848.tif 000006
【図６】
0006850848.tif 000007
【図７】
0006850848.tif 000008
【図８】
0006850848.tif 000009
【図９】
0006850848.tif 000010
【図１０】
0006850848.tif 000011
【図１１】
0006850848.tif 000012